【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
入力画像を印刷用紙に印刷して印刷出力物を取得する際に、前記印刷出力物に対して光沢効果を出すか、つや消し効果を出すか選択する第１の選択手段と、
前記第１の選択手段にて、前記印刷出力物に対してつや消し効果を出すと選択されると、コート紙に、透明トナーを用いて前記入力画像のつや消し効果を出したい領域の形成を行う第１の印刷出力手段と、
前記第１の選択手段にて、前記印刷出力物に対して光沢効果を出すと選択されると、ノンコート紙に、前記透明トナーを用いて前記入力画像の光沢効果を出したい領域の形成を行う印刷を完了する第２の印刷出力手段と
を備えたことを特徴とする画像形成装置。
【請求項２】
前記印刷出力物の画質を優先させる画質優先又は印刷速度を優先させる速度優先をさらに選択する第２の選択手段と、
トナーが一度定着されたノンコート紙に、前記透明トナーを用いて前記入力画像の光沢効果を出したい領域以外の領域の形成を行い、再度定着を行う第３の印刷手段と
をさらに備え、
前記第１の選択手段にて光沢効果が選択され、前記第２の選択手段にて画質優先が選択された場合、第３の印刷手段が用いられ、
前記第１の選択手段にて光沢効果が選択され、前記第２の選択手段にて印刷速度が優先された場合、前記第２の印刷手段が用いられることを特徴とする請求項１に記載の画像形成装置。
【請求項３】
前記第２の選択手段で、画像優先又は速度優先のいずれが優先されるかユーザに選択させる画面を表示することを特徴とする請求項２に記載の画像形成装置。
【請求項４】
前記第２の選択手段で、画質優先又は速度優先のいずれが優先されるか予め設定されていることを特徴とする請求項２に記載の画像形成装置。
【請求項５】
前記入力画像を構成し、シアン、マゼンタ、イエロー、ブラックのトナーを用いて印字される画像データが印字される位置と、前記入力画像を構成し、前記透明トナーを用いて印字される透明フォーム画像データが印字される位置とが重なるか否か比較する比較手段と、
前記シアン、マゼンタ、イエロー、ブラックのトナーを用いて印字し一度定着したコート紙に、前記透明トナーを用いて前記入力画像のつやけし効果を出したい領域を形成し、再度定着を行う第４の印刷手段と
をさらに備え、
前記第１の選択手段にてつや消し効果が選択され、前記比較手段にて前記画像データが印刷される位置と前記透明フォーム画像データの印字される位置とが一致せず、前記画像データが印字される位置と前記透明フォーム画像データが印字される位置とが重なると判断される場合、
前記第２の選択手段にて印刷速度優先が選択されているときは、前記第１の印刷手段が用いられ、
前記第２の選択手段にて印刷画質優先が選択されているときは、前記第４の印刷手段が用いられることを特徴とする請求項２に記載の画像形成装置。
【請求項６】
前記入力画像を構成し、シアン、マゼンタ、イエロー、ブラックのトナーを用いて印字される画像データが印字される位置と、前記入力画像を構成し、前記透明トナーを用いて印字される透明フォーム画像データが印字される位置とが重なるか否か比較する比較手段と、
前記シアン、マゼンタ、イエロー、ブラックのトナーを用いて印字し一度定着したコート紙に、前記透明トナーを用いて前記入力画像のつやけし効果を出したい領域を形成し、再度定着を行う第４の印刷手段と、
ノンコート紙に前記透明トナーを用いて前記入力画像のつや消し効果を出したい領域以外の領域を形成し、定着を行う第５の印刷手段と
をさらに備え、
前記第１の選択手段にてつや消し効果が選択され、前記比較手段にて前記画像データが印字される位置と前記透明フォームデータが印字される位置とが一致せず、前記画像データが印字される位置と前記透明フォーム画像データ印字される位置とが重ならないと判断される場合、
前記第２の選択手段によって印刷速度優先が選択されているときは、前記第５の印刷手段が用いられ、
前記第２の選択手段によって印刷画質優先が選択されている場合は、前記第４の印刷手段が用いられることを特徴とする請求項２に記載の画像形成装置。
【請求項７】
排紙口にグロッサー内蔵フィニッシャーが接続され、前記第１の選択手段によってつや消し効果が選択されている場合、前記入力画像の印刷出力物を前記グロッサー内蔵フィニッシャーが接続された排紙口とは異なる排紙口に印刷出力することを特徴とする請求項１に記載の画像形成装置。
【請求項８】
前記第１の選択手段の選択結果を受信するユーザインタフェースを更に備えることを特徴とする請求項１に記載の画像形成装置。
【請求項９】
ユーザが希望する紙種が実装されている場合には、当該紙種で前記第１の選択手段で選択される印刷効果が出せるか否かを判定し、前記第１の選択手段で選択される印刷効果が出せない場合には、ユーザに警告を発する手段をさらに備えることを特徴とする請求項１に記載の画像形成装置。
【請求項１０】
印刷済みの印刷出力物が給紙された際、該印刷出力物から画像データを取得し該該画像データを用いて前記印刷出力物に前記第１の選択手段によって選択された前記印刷効果を実現させるべく前記透明トナーを付加することを特徴とする請求項１に記載の画像形成装置。
【請求項１１】
入力画像を印刷用紙に印刷して印刷出力物を取得する際に、前記印刷出力物に対して光沢効果を出すか、つや消し効果を出すか選択する第１の選択ステップと、
前記第１の選択ステップにて、前記印刷出力物に対してつや消し効果を出すと選択されると、コート紙に、透明トナーを用いて前記入力画像のつや消し効果を出したい領域の形成を行う第１の印刷出力ステップと、
前記第１の選択ステップにて、前記印刷出力物に対して光沢効果を出すと選択されると、ノンコート紙に、前記透明トナーを用いて前記入力画像の光沢効果を出したい領域の形成を行う印刷を完了する第２の印刷出力ステップと
を備えたことを特徴とする画像形成方法。
【請求項１２】
前記印刷出力物の画質を優先させる画質優先又は印刷速度を優先させる速度優先をさらに選択する第２の選択ステップと、
トナーが一度定着されたノンコート紙に、前記透明トナーを用いて前記入力画像の光沢効果を出したい領域以外の領域の形成を行い、再度定着を行う第３の印刷ステップと
をさらに備え、
前記第１の選択ステップにて光沢効果が選択され、前記第２の選択ステップにて画質優先が選択された場合、第３の印刷ステップが用いられ、
前記第１の選択ステップにて光沢効果が選択され、前記第２の選択ステップにて印刷速度が優先された場合、前記第２の印刷ステップが用いられることを特徴とする請求項１１に記載の画像形成方法。
【請求項１３】
前記第２の選択ステップで、画像優先又は速度優先のいずれが優先されるかユーザに選択させる画面を表示することを特徴とする請求項１２に記載の画像形成方法。
【請求項１４】
前記第２の選択ステップで、画質優先又は速度優先のいずれが優先されるか予め設定されていることを特徴とする請求項１２に記載の画像形成方法。
【請求項１５】
前記入力画像を構成し、シアン、マゼンタ、イエロー、ブラックのトナーを用いて印字される画像データが印字される位置と、前記入力画像を構成し、前記透明トナーを用いて印字される透明フォーム画像データが印字される位置とが重なるか否か比較する比較ステップと、
前記シアン、マゼンタ、イエロー、ブラックのトナーを用いて印字し一度定着したコート紙に、前記透明トナーを用いて前記入力画像のつやけし効果を出したい領域を形成し、再度定着を行う第４の印刷ステップと
をさらに備え、
前記第１の選択ステップにてつや消し効果が選択され、前記比較ステップにて前記画像データが印刷される位置と前記透明フォーム画像データの印字される位置とが一致せず、前記画像データが印字される位置と前記透明フォーム画像データが印字される位置とが重なると判断される場合、
前記第２の選択ステップにて印刷速度優先が選択されているときは、前記第１の印刷ステップが用いられ、
前記第２の選択ステップにて印刷画質優先が選択されているときは、前記第４の印刷ステップが用いられることを特徴とする請求項１２に記載の画像形成方法。
【請求項１６】
前記入力画像を構成し、シアン、マゼンタ、イエロー、ブラックのトナーを用いて印字される画像データが印字される位置と、前記入力画像を構成し、前記透明トナーを用いて印字される透明フォーム画像データが印字される位置とが重なるか否か比較する比較ステップと、
前記シアン、マゼンタ、イエロー、ブラックのトナーを用いて印字し一度定着したコート紙に、前記透明トナーを用いて前記入力画像のつやけし効果を出したい領域を形成し、再度定着を行う第４の印刷ステップと、
ノンコート紙に前記透明トナーを用いて前記入力画像のつや消し効果を出したい領域以外の領域を形成し、定着を行う第５の印刷ステップと
をさらに備え、
前記第１の選択ステップにてつや消し効果が選択され、前記比較ステップにて前記画像データが印字される位置と前記透明フォームデータが印字される位置とが一致せず、前記画像データが印字される位置と前記透明フォーム画像データ印字される位置とが重ならないと判断される場合、
前記第２の選択ステップによって印刷速度優先が選択されているときは、前記第５の印刷ステップが用いられ、
前記第２の選択ステップによって印刷画質優先が選択されている場合は、前記第４の印刷ステップが用いられることを特徴とする請求項１２に記載の画像形成方法。
【請求項１７】
排紙口にグロッサー内蔵フィニッシャーが接続され、前記第１の選択ステップによってつや消し効果が選択されている場合、前記入力画像の印刷出力物を前記グロッサー内蔵フィニッシャーが接続された排紙口とは異なる排紙口に印刷出力することを特徴とする請求項１１に記載の画像形成方法。
【請求項１８】
前記第１の選択ステップの選択結果を受信するユーザインタフェースを更に備えることを特徴とする請求項１１に記載の画像形成方法。
【請求項１９】
ユーザが希望する紙種が実装されている場合には、当該紙種で前記第１の選択ステップで選択される印刷効果が出せるか否かを判定し、前記第１の選択ステップで選択される印刷効果が出せない場合には、ユーザに警告を発するステップをさらに備えることを特徴とする請求項１１に記載の画像形成方法。
【請求項２０】
印刷済みの印刷出力物が給紙された際、該印刷出力物から画像データを取得し該該画像データを用いて前記印刷出力物に前記第１の選択ステップによって選択された前記印刷効果を実現させるべく前記透明トナーを付加することを特徴とする請求項１１に記載の画像形成方法。
【請求項２１】
コンピュータに、請求項１１乃至２０のいずれか１項に記載の方法を実行させるプログラムを記録したコンピュータ読み取り可能な記録媒体。
【請求項２２】
コンピュータに、請求項１１乃至２０のいずれか１項に記載の方法を実行させるためのプログラム。
【手続補正２】
【補正対象書類名】明細書
【補正対象項目名】０００６
【補正方法】変更
【補正の内容】
【０００６】
本発明の画像形成装置は、入力画像を印刷用紙に印刷して印刷出力物を取得する際に、印刷出力物に対して光沢効果を出すか、つや消し効果を出すか選択する第１の選択手段と、第１の選択手段にて、印刷出力物に対してつや消し効果を出すと選択されると、コート紙に、透明トナーを用いて入力画像のつや消し効果を出したい領域の形成を行う第１の印刷出力手段と、第１の選択手段にて、印刷出力物に対して光沢効果を出すと選択されると、ノンコート紙に、透明トナーを用いて前記入力画像の光沢効果を出したい領域の形成を行う印刷を完了する第２の印刷出力手段とを備えたことを特徴とする。
【手続補正３】
【補正対象書類名】明細書
【補正対象項目名】０００７
【補正方法】変更
【補正の内容】
【０００７】
本発明の画像形成方法は、入力画像を印刷用紙に印刷して印刷出力物を取得する際に、印刷出力物に対して光沢効果を出すか、つや消し効果を出すか選択する第１の選択ステップと、第１の選択ステップにて、印刷出力物に対してつや消し効果を出すと選択されると、コート紙に、透明トナーを用いて入力画像のつや消し効果を出したい領域の形成を行う第１の印刷出力ステップと、第１の選択ステップにて、印刷出力物に対して光沢効果を出すと選択されると、ノンコート紙に、透明トナーを用いて入力画像の光沢効果を出したい領域の形成を行う印刷を完了する第２の印刷出力ステップとを備えたことを特徴とする。